(57)【要約】【課題】照明される壁面の照度が均一となるように照明することのできるＬＥＤユニットおよびホリゾントライトを提供する。【解決手段】各ＬＥＤチップ３５から発せられた光は、被取付部１１に近い部分では配光レンズ３６の第１の部分３６１の広角配光部３７を通過することにより広い範囲に照射されるので、照度を抑えて広い範囲を均一に照明する。また、被取付部１１から遠い部分では、配光レンズ３６の第２の部分３６２の中角配光部３８を通ってある程度の指向性を持って狭い範囲に照射されるので、照度が増す。このため、壁面１２を照明する際に、被取付部１１に近い側に配置されたＬＥＤユニット３２の第２の部分３６２の中角配光部３８を通過した光と、被取付部１１から遠い側に配置されたＬＥＤユニット３２の第１の部分３６１の広角配光部３７を通過した光とが次々に重なるので、全体として壁面１２を均一に照明することができる。【選択図】図１
2011187244.tif 000002
【特許請求の範囲】
【請求項１】
ＬＥＤチップと、
前記ＬＥＤチップに対向して配設される配光レンズと、を備えたＬＥＤユニットであって、
前記配光レンズを第１の部分と第２の部分とに分割し、
第１の部分を広角配光部とし、
第２の部分を中角配光部としたことを特徴とするＬＥＤユニット。
【請求項２】
被取付部に取り付けられて壁面を照明するホリゾントライトであって、
ＬＥＤチップと、前記ＬＥＤチップに対向して配設される配光レンズと、を備えたＬＥＤユニットを上下方向へ複数個配設するとともに、前記被取付部から遠い側に位置する前記ＬＥＤユニットがより前記被取付部から遠い側を照明するように設け、
前記配光レンズを前記被取付部から近い側の第１の部分と遠い側の第２の部分とに分割し、前記第１の部分を広角配光部とし、前記第２の部分を中角配光部としたことを特徴とするホリゾントライト。
【発明の詳細な説明】
【技術分野】
【０００１】
本発明は、テレビスタジオやステージ等の背景壁面を照明するのに好適なＬＥＤユニットおよびホリゾントライトに関するものである。
【背景技術】
【０００２】
従来より、テレビスタジオやステージ等の背景壁面を照明するホリゾントライトに、光源としてＬＥＤを用いるものがある（例えば特許文献１参照）。
図８に示すように、特許文献１に記載の壁面照明装置１００は、筐体１０１内部に複数個のモジュール１０２ａ〜１０２ｄが縦方向に取り付けられており、各モジュール１０２ａ〜１０２ｄにはそれぞれ複数個のＬＥＤ１０３が配列されている。そして、複数個のＬＥＤ１０３の前面にはＬＥＤ１０３からの出射光を配光制御する配光制御部材１０４が設けられている。複数個のモジュール１０２ａ〜１０２ｄには、長手方向の両端部に回動軸１０５ａ〜１０５ｄが設けられ、各モジュール１０２ａ〜１０２ｄの光の出射方向を調節し固定する。
【０００３】
図９には、前述した壁面照明装置１００を、ピット１０６を有するスタジオフロア１０７の壁面１０８部分を照明するホリゾントライトとして使用する状態を示している。すなわち、壁面照明装置１００をピット１０６に縦置きにして設置し、各モジュール１０２ａ〜１０２ｄの出射方向を変えて壁面１０８を照射する。
【先行技術文献】
【特許文献】
【０００４】
【特許文献１】特開２００７−８０６６６号公報（第１図、第５図）
【発明の概要】
【発明が解決しようとする課題】
【０００５】
しかしながら、前述したような従来の壁面照明装置（ホリゾントライト）１００においては、下部のモジュール１０２ａは壁面１０８と略正対するため壁面１０８の下部を照明する。また、上部のモジュール１０２ｂ〜１０２ｄに行くほど出射方向が上を向いており、照明する壁面１０８が遠くなるとともに、壁面１０８に対して斜めに出射されるため、上部の照明が暗くなり、壁面１０８の照度が均一にならないという問題があった。
【０００６】
本発明は、従来の問題を解決するためになされたもので、照明される壁面の照度が均一となるように照明することのできるＬＥＤユニットおよびホリゾントライトを提供することを目的とする。
【課題を解決するための手段】
【０００７】
本発明のＬＥＤユニットは、ＬＥＤチップと、ＬＥＤチップに対向して配設される配光レンズと、を備えたＬＥＤユニットであって、配光レンズを第１の部分と第２の部分とに分割し、第１の部分を広角配光部とし、第２の部分を中角配光部とした構成を有している。
【０００８】
また、本発明のホリゾントライトは、被取付部に取り付けられて壁面を照明するホリゾントライトであって、ＬＥＤチップと、ＬＥＤチップに対向して配設される配光レンズと、を備えたＬＥＤユニットを上下方向へ複数個配設するとともに、被取付部から遠い側に位置するＬＥＤユニットがより被取付部から遠い側を照明するように設け、配光レンズを被取付部から近い側の第１の部分と遠い側の第２の部分とに分割し、第１の部分を広角配光部とし、第２の部分を中角配光部とした構成を有している。
【発明の効果】
【０００９】
本発明では、各ＬＥＤチップから発せられた光は、被取付部に近い部分では配光レンズの第１の部分の広角配光部を通過することにより広い範囲に照射されるので、照度を抑えて広い範囲を均一に照明する。また、被取付部から遠い部分では、配光レンズの第２の部分の中角配光部を通ってある程度の指向性を持って狭い範囲に照射されるので、照度が増す。このため、壁面を照明する際に、被取付部に近い側に配置されたＬＥＤユニットの第２の部分の中角配光部を通過した光と、被取付部から遠い側に配置されたＬＥＤユニットの第１の部分の広角配光部を通過した光とが次々に重なるので、全体として壁面を均一に照明することができるという効果を有するホリゾントライトを提供することができるものである。
【図面の簡単な説明】
【００１０】
【図１】（Ａ）本発明の実施形態にかかるホリゾントライトを上方から見た斜視図、（Ｂ）下方から見た斜視図
【図２】（Ａ）本発明の実施形態にかかるホリゾントライトの側面図、（Ｂ）正面図、（Ｃ）背面図、（Ｄ）平面図
【図３】本発明の実施形態にかかるＬＥＤユニットを上方から見た斜視図
【図４】（Ａ）本発明の実施形態にかかるＬＥＤユニットの平面図、（Ｂ）側面図、（Ｃ）底面図
【図５】輝度分布を示すグラフ
【図６】本発明の実施形態にかかるＬＥＤユニットの別の例を上方から見た斜視図
【図７】（Ａ）本発明の実施形態にかかるＬＥＤユニットの別の例を示す平面図、（Ｂ）側面図、（Ｃ）底面図
【図８】従来の壁面照明装置を示す正面図
【図９】従来の壁面照明装置による照明の状態を示す説明図
【発明を実施するための形態】
【００１１】
以下、本発明の実施形態のホリゾントライトについて、図面を用いて説明する。
図１（Ａ）は本発明の実施形態にかかるホリゾントライトを上方から見た斜視図、（Ｂ）は下方から見た斜視図、図２（Ａ）は本発明の実施形態にかかるホリゾントライトの側面図、（Ｂ）は正面図、（Ｃ）は背面図、（Ｄ）は平面図、図３は本発明の実施形態にかかるＬＥＤユニットを上方から見た斜視図、図４（Ａ）は本発明の実施形態にかかるＬＥＤユニットの平面図、（Ｂ）は側面図、（Ｃ）は底面図である。
【００１２】
図１および図２に示すように、ホリゾントライト１０は、テレビスタジオやステージ等の被取付部である床面や天井（ここでは床面１１）に取付けられ、背景となる壁面１２を照明するのに用いられる（図２（Ａ）参照）。
【００１３】
ホリゾントライト１０は、略台形状の筐体２０を有し、一斜面２１を被取付部である床面１１に載置した状態で壁面１２に対向する前面に開口２２を有する。一斜面２１の前端には蝶番２３が取付けられており、この蝶番２３によって開口２２を覆う照明板３０が開閉可能に取付けられている。また、筐体２０の開口２２と対向する底面２４には、ホリゾントライト１０を固定するための固定具２５が設けられている。
【００１４】
照明板３０は、前方に湾曲した表面３０１を有している。従って、表面３０１は、下部が壁面１２に近く、上部は壁面１２から遠い。また、下部は壁面１２と平行に近く、上部は壁面１２に対して直角に近い。表面３０１には複数個のＬＥＤ光源３１が設けられている。ここでは、例えば、横に３列で、縦に４段の１２個のＬＥＤ光源３１が設けられている。なお、ＬＥＤ光源３１は、最下段を第１ＬＥＤ光源３１１とし、順に第２ＬＥＤ光源３１２、第３ＬＥＤ光源３１３とし、最上段を第４ＬＥＤ光源３１４と示し、総称する場合にはＬＥＤ光源３１と示す。
【００１５】
湾曲した照明板３０の表面３０１に取付けられたＬＥＤ光源３１は、被取付部である床面１１から遠い側（すなわち照明板３０の上部）に位置するＬＥＤ光源３１が、より被取付部である床面１１から遠い側（すなわち上方）を照明するように取付けられている。
【００１６】
従って、床面１１側である下部に取付けられた第１ＬＥＤ光源３１１は、最も壁面１２に近く、かつ、最も正対（壁面１２に直交する場合すなわちθ＝０の場合を言う。図２（Ａ）参照）に近い状態で壁面１２に照射する。そして、ＬＥＤ光源３１は、上段に行くにしたがって壁面１２から遠ざかるとともに、正対の状態から遠くなるので、壁面１２に対して大きな角度θで照射する。従って、第４ＬＥＤ光源３１４は、壁面１２から最も遠く、かつ、照射角度θが最も大きい。
【００１７】
各ＬＥＤ光源３１は、複数個（ここでは、例えば８個）のＬＥＤユニット３２を有しており、各ＬＥＤ光源３１の水平方向両側には例えばアルミ製の反射板３０３が設けられている。これにより、各列のＬＥＤ光源３１からの光は、水平方向に所定の幅で照射される。
なお、照明板３０の上端部および下端部にはフィルタ押え３０２が各々設けられており、例えばＬＥＤ光源３１からの光の色を変えるフィルタを着脱可能に取付けることができるようになっている。
【００１８】
図３および図４に示すように、ＬＥＤユニット３２は、例えばセラミックス製の基板３４の上に実装されたＬＥＤチップ３５を有し、ＬＥＤチップ３５の前方（上方）にはＬＥＤチップ３５を内包する反射板３７が設けられている。そして、反射板３７の上端には、配光レンズ３６がＬＥＤチップ３５に対向して設けられる。
これにより、基板３４から電力の供給を受けたＬＥＤチップ３５が発した光は、配光レンズ３６を通過して所定の方向へ出射される。このとき、ＬＥＤチップ３５から側方へ出射された光は、反射板３０３で反射して、配光レンズ３６に入射する。
【００１９】
図４に示すように、配光レンズ３６は、第１の部分３６１と第２の部分３６２とに２分割され、図４中左側の第１の部分３６１を広角配光部３７とし、右側の第２の部分３６２を中角配光部３８とする。広角配光部３７とは、ＬＥＤチップ３５からの光を広く配光する例えば従来より一般的な球面状の配光レンズとすることができる。また、中角配光部３８とは、ある程度の指向性を有し広角配光部３７よりも狭い範囲に配光するものである。
【００２０】
図４（Ａ）に示すように、中角配光部３８は、例えば複数のレンズ面３８１、３８２、３８３で構成することができる。各レンズ面３８１、３８２、３８３は、広角配光部３７に比して、半径が大きな球面で構成することができる。これにより、中央のレンズ面３８１を通過する光は、ある程度の指向性を持って右方向に出射され、半径が大きな球面レンズであるため、広角配光部３７を通過する光よりも狭い範囲でかつ高い照度で照明する。また、両側のレンズ面３８２、３８３を通過する光は主に側方に出射される。
【００２１】
これにより、図５に示すような輝度分布が得られる。
【００２２】
図１および図２において前述したホリゾントライト１０のＬＥＤ光源３１に用いるＬＥＤユニット３２は、広角配光部３７を被取付部側、すなわち床面１１側である下側に配置し、中角配光部３８を被取付部と反対側、すなわち床面１１と反対側である上側に配置して用いられる（図３および図４参照）。
【００２３】
これにより、各ＬＥＤユニット３２においては、床面１１に近い部分では、配光レンズ３６の広角配光部３７を通過することにより広い範囲に照射されるので、照度を抑えて広い範囲を均一に照明する。また、床面１１から遠い部分では、配光レンズ３６の中角配光部を通ってある程度の指向性を持って狭い範囲に照射されるので、照明距離が遠くなって照度が低下するのを補うことができる。
【００２４】
各ＬＥＤ光源３１には、すべて同じＬＥＤユニット３２を用いることができる。また、第１ＬＥＤ光源３１１〜第４ＬＥＤ光源３１４として、すべて同じＬＥＤ光源３１を用いることができるが、異なるＬＥＤ光源を用いることも可能である。例えば、被取付部である床面１１に近い第１ＬＥＤ光源３１１には、従来と同じ球面状の配光レンズ３６を有するＬＥＤユニット３２を用い、第２ＬＥＤ光源３１２および第３ＬＥＤ光源３１３には内面をシボ塗装した配光レンズ３６を有するＬＥＤユニット３２を用い、第４ＬＥＤ光源３１４には前述した中角配光部３８を有するＬＥＤユニット３２を用いることも可能である。
【００２５】
以上、説明した本発明にかかるＬＥＤユニット３２によれば、ＬＥＤチップ３５から発せられた光は、配光レンズ３６の第１の部分３６１に設けられた広角配光部３７を通過することにより照度を抑えて広い範囲に均一に照射され、第２の部分３６２に設けられた中角配光部３８を通過することによりある程度の指向性を持って狭い範囲に照度を上げて照射されるので、上方と下方とで照射範囲が異なる。これに伴い、照射範囲の照度が上方と下方とで異なることとなる。
【００２６】
また、前述したＬＥＤユニット３２を有するＬＥＤ光源３１を用いた本発明にかかるホリゾントライト１０によれば、各ＬＥＤ光源３１から発せられた光は、床面１１に近い部分では配光レンズ３６の第１の部分３６１の広角配光部３７を通過することにより広い範囲に照射されるので、照度を抑えて広い範囲を均一に照明することができる。また、床面１１から遠い部分では、配光レンズ３６の第２の部分３６２の中角配光部３８を通ってある程度の指向性を持って狭い範囲に照射されるので、照度が増すことができる。
【００２７】
このため、壁面１２を照明する際に、床面１１に近い側に配置されたＬＥＤ光源３１に用いられているＬＥＤユニット３２の第２の部分３６２の中角配光部３８を通過した光と、床面１１から遠い側に隣接するＬＥＤ光源３１に用いられているＬＥＤユニット３２の第１の部分３６１の広角配光部３７を通過した光とが次々に重なるので、全体として壁面１２を均一に照明することができる。
【００２８】
なお、本発明のＬＥＤユニット３２およびホリゾントライト１０は、前述した実施形態に限定されるものでなく、適宜な変形，改良等が可能である。
例えば、前述した実施形態にかかるホリゾントライト１０においては、ホリゾントライト１０を床面１１に取付けて使用する場合を例示したが、天井に取付けて使用する場合にも適用可能である。
【００２９】
また、前述したＬＥＤユニット３２では、中角配光部３８を３つのレンズ面３８１〜３８３で構成した場合を説明したが、中角配光部３８の構成はこれに限るものではない。例えば、図６および図７に示すＬＥＤユニット３２Ｂのように、中角配光部３８を５つのレンズ面３８４〜３８８で構成することもできる。この場合には、レンズ面３８４とレンズ面３８５、３８６との境界にさらにレンズ面３８７、３８８を設けたので、各レンズ面３８４〜３８８を通過する光の境界をぼかすことができ、より均一に照明することができる。なお、図３および図４において前述したＬＥＤユニット３２と共通する部位には同じ符号を付して、重複する説明を省略することとする。
【符号の説明】
【００３０】
１０  ホリゾントライト
１１  床面（被取付部）
１２  壁面
３２  ＬＥＤユニット
３５  ＬＥＤチップ
３６  配光レンズ
３６１  第１の部分
３６２  第２の部分
３７  広角配光部
３８  中角配光部
【図１】
2011187244.tif 000003
【図２】
2011187244.tif 000004
【図３】
2011187244.tif 000005
【図４】
2011187244.tif 000006
【図５】
2011187244.tif 000007
【図６】
2011187244.tif 000008
【図７】
2011187244.tif 000009
【図８】
2011187244.tif 000010
【図９】
2011187244.tif 000011